(57)【要約】【課題】  本発明は、棚板を発光させる電気部品である配線等が外部から視認されることを防止することができる。【解決手段】  本発明に係る発光棚装置は、物品を載置する導光板、光源、及び受電部を設けた受電保持部材を備えた棚板と、前記棚板を支持し、駆動電力が入力される受電接続部及び入力された駆動電力を前記棚板に出力する送電接続部を備えた棚板受け部材と、前記棚板受け部材を支持し、前記棚板受け部材の前記受電接続部に当接される送電部及び該送電部に接続され駆動電力を供給し内部に埋設される配線を設けた送電保持部を備えた支持部材とを有することを特徴とする。【選択図】  図３
2012187188.tif 000002
【特許請求の範囲】
【請求項１】
物品を載置する導光板、光源、及び受電部を設けた受電保持部材を備えた棚板と、
前記棚板を支持し、駆動電力が入力される受電接続部及び入力された駆動電力を前記棚板に出力する送電接続部を備えた棚板受け部材と、
前記棚板受け部材を支持し、前記棚板受け部材の前記受電接続部に当接される送電部及び該送電部に接続され駆動電力を供給し内部に埋設される配線を設けた送電保持部を備えた支持部材とを有すること
を特徴とする発光棚装置。
【請求項２】
前記棚板は、前記棚板受け部材に着脱可能に支持されていること
を特徴とする請求項１に記載の発光棚装置。
【請求項３】
前記棚板受け部材は、前記支持部材に着脱可能に取り付けられていること
を特徴とする請求項１に記載の発光棚装置。
【請求項４】
前記棚板受け部材は、該棚板受け部材の一端が前記支持部材に形成された孔に挿入されて取り付けられていること
を特徴とする請求項１に記載の発光棚装置。
【請求項５】
前記棚板の前記導光板の一面以上に、前記光源から照射された光を拡散光として出射させる凹状又は凸状のパターンが形成されていること
を特徴とする請求項１に記載の発光棚装置。
【請求項６】
前記凹状又は凸状のパターンは、点状、線状、又はそれらの組み合わせから成ること
を特徴とする請求項５に記載の発光棚装置。
【請求項７】
前記棚板受け部材は、前記受電接続部及び前記送電接続部をそれぞれ１つ以上備えていること
を特徴とする請求項１に記載の発光棚装置。
【請求項８】
前記支持部材の前記送電保持部の前記配線に接続され、外部から供給された電力を前記光源に対応した駆動電力に変換する電力変換部を更に有すること
を特徴とする請求項１に記載の発光棚装置。
【請求項９】
前記電力変換部は、前記棚板に備えられた前記光源の光量を調整する調光制御手段、前記棚板に備えられた前記光源の発光色を切り換える発光色切替手段、又は前記調光制御手段及び前記発光色切替手段を備えていること
を特徴とする請求項８に記載の発光棚装置。
【発明の詳細な説明】
【技術分野】
【０００１】
本発明は、発光する棚板を設けた発光棚装置に関する。
【背景技術】
【０００２】
従来、種々の物品を棚面全体から照明する発光棚装置に関して、発光体の収容空間に照明具を構成する発光体を配置し、発光体の光をスリットを介して棚板本体の後端から導光板に導く構成がある（例えば、特許文献１参照。）。
【０００３】
また、棚等の什器を構成する要素となる発光面板に関して、照明光源を商品やユーザの側から遠ざけ、且つ照明光を所望の方向に偏向させて照射する構成がある（例えば、特許文献２参照。）。
【先行技術文献】
【特許文献】
【０００４】
【特許文献１】特開２００５−１３７７２９号公報
【特許文献２】特開２００５−２４５５４７号公報
【発明の概要】
【発明が解決しようとする課題】
【０００５】
しかしながら、前述の様な構成では、棚板を発光させる電気部品である配線等が外部から視認可能であることから、美観が損なわれる問題があった。
【０００６】
そこで、本発明は前述の技術的な課題に鑑み、棚板を発光させる電気部品である配線等が外部から視認されることを防止することができる発光棚装置の提供を目的とする。
【課題を解決するための手段】
【０００７】
前述の課題を解決すべく、本発明に係る発光棚装置は、物品を載置する導光板、光源、及び受電部を設けた受電保持部材を備えた棚板と、前記棚板を支持し、駆動電力が入力される受電接続部及び入力された駆動電力を前記棚板に出力する送電接続部を備えた棚板受け部材と、前記棚板受け部材を支持し、前記棚板受け部材の前記受電接続部に当接される送電部及び該送電部に接続され駆動電力を供給し内部に埋設される配線を設けた送電保持部を備えた支持部材とを有することを特徴とする。
【発明の効果】
【０００８】
本発明に係る発光棚装置によれば、棚板を発光させる電気部品である配線等が外部から視認されることを防止することができる。
【図面の簡単な説明】
【０００９】
【図１】本発明の第１の実施形態に係る発光棚装置を示す斜視図である。
【図２】本発明の第１の実施形態に係る発光棚装置の一部を示す斜視図であり、（ａ）は発光棚装置の一部を示す斜視図、（ｂ）は発光棚装置の一部を断面で示す斜視図である。
【図３】本発明の第１の実施形態に係る発光棚装置の一部を側面から示す断面図である。
【図４】本発明の第１の実施形態に係る発光棚装置を構成する支持部材に対して該支持部材に備えられる送電保持部が取り付けられる状態を示す斜視図であり、（ａ）は支持部材に送電保持部が未だ取り付けられていない状態を示す斜視図、（ｂ）は支持部材に送電保持部が取り付けられている途中の状態を示す斜視図、（ｃ）は支持部材に送電保持部が完全に取り付けられた状態を示す斜視図である。
【図５】本発明の第１の実施形態に係る発光棚装置を構成する支持部材の孔に棚板受け部材の一端が挿入される状態を示す斜視図であり、（ａ）は支持部材の孔に棚板受け部材の一端が未だ挿入されていない状態を示す斜視図、（ｂ）は支持部材の孔に棚板受け部材の一端が挿入されている途中の状態を示す斜視図、（ｃ）は支持部材の孔に棚板受け部材の一端が完全に挿入された状態を示す斜視図である。
【図６】本発明の第１の実施形態に係る発光棚装置を構成する棚板受け部材に棚板を載置する状態を示す斜視図であり、（ａ）は棚板受け部材に棚板が未だ載置されていない状態を示す斜視図、（ｂ）は棚板受け部材に棚板が完全に載置された状態を示す斜視図である。
【図７】本発明の第１の実施形態に係る発光棚装置を構成する導光板を備えた棚板を示す斜視図であり、（ａ）は棚板を上方から示す斜視図、（ｂ）は棚板を下方から示す斜視図である。
【図８】本発明の第１の実施形態に係る発光棚装置を構成する棚板の受電保持部材に設けられた１つの受電部を下方から示す斜視図である。
【図９】本発明の第１の実施形態に係る発光棚装置を構成する棚板の受電保持部材に設けられた複数の受電部を下方から示す斜視図である。
【図１０】本発明の第１の実施形態に係る発光棚装置を構成する凹状のパターンが形成された導光板を備えた棚板を示す斜視図である。
【図１１】本発明の第１の実施形態に係る発光棚装置を構成する凹状のパターンが形成された導光板を備えた棚板を側面から示す断面図である。
【図１２】本発明の第１の実施形態に係る発光棚装置を構成する乳半板及び透明板が積層された導光板を備えた棚板を側面から示す断面図である。
【図１３】本発明の第１の実施形態に係る発光棚装置を構成し１つの受電接続部及び送電接続部を設けた棚板受け部材を示す斜視図である。
【図１４】本発明の第１の実施形態に係る発光棚装置を構成し複数の受電接続部及び送電接続部を設けた棚板受け部材を示す斜視図である。
【図１５】本発明の第１の実施形態に係る発光棚装置を構成する棚板受け部材を示す斜視図であり、（ａ）は絶縁部材を用いて受電接続部及び送電接続部を除き絶縁した棚板受け部材を示す斜視図、（ｂ）は埋設した配線を用いて受電接続部及び送電接続部を導通した棚板受け部材を示す斜視図である。
【図１６】本発明の第１の実施形態に係る発光棚装置を構成する支持部材を示す斜視図である。
【図１７】本発明の第１の実施形態に係る発光棚装置を構成する支持部材の要部を断面で示す斜視図である。
【図１８】本発明の第１の実施形態に係る発光棚装置を構成する支持部材に備えられる１つ送電部を備えた送電保持部を示す斜視図であり、（ａ）は送電保持部を側面の一方から示す斜視図、（ｂ）は送電保持部を側面の一方に対向した他方から示す斜視図、（ｃ）は送電保持部を下方から示す斜視図である。
【図１９】本発明の第１の実施形態に係る発光棚装置を構成する支持部材に備えられる複数の送電部を備えた送電保持部を示す斜視図であり、（ａ）は送電保持部を側面の一方から示す斜視図、（ｂ）は送電保持部を側面の一方に対向した他方から示す斜視図である。
【図２０】本発明の第２の実施形態に係る棚板に拡散光を出射させる凹状のパターンが形成され且つ外部から供給された電力を光源に対応した駆動電力に変換する電力変換部を有する発光棚装置を示す斜視図である。
【図２１】本発明の第３の実施形態に係る一対の支持部材が設けられた発光棚装置を示す斜視図である。
【図２２】本発明の第３の実施形態に係る発光棚装置の要部を断面で示す斜視図である。
【図２３】本発明の第３の実施形態に係る発光棚装置を構成する導光板を備えた棚板を示す斜視図である。
【図２４】本発明の第３の実施形態に係る発光棚装置を構成する凹状のパターンが形成された導光板を備えた棚板を示す斜視図である。
【図２５】本発明の第４の実施形態に係る一対の支持部材が設けられ且つ棚板に拡散光を出射させる凹状のパターンが形成され更に外部から供給された電力を光源に対応した駆動電力に変換する電力変換部を有する発光棚装置を示す斜視図である。
【発明を実施するための形態】
【００１０】
以下、本発明の発光棚装置に係る好適な実施形態について、図面を参照しながら説明する。なお、本発明の発光棚装置は、以下の記述に限定されるものではなく、本発明の要旨を逸脱しない範囲において、適宜変更可能である。
【００１１】
また、以下の説明においては、最初に本発明の第１の実施形態に係る発光棚装置１について図１乃至図１９を参照しながら説明する。次に本発明の第２の実施形態に係る発光棚装置２について図２０を参照しながら説明する。次に本発明の第３の実施形態に係る発光棚装置３について図２１乃至図２４を参照しながら説明する。次に本発明の第４の実施形態に係る発光棚装置４について図２５を参照しながら説明する。また本願発明の第１乃至第４の実施形態に係る発光棚装置１乃至発光棚装置４を構成する棚板に備えられた導光板の製造方法について説明する。最後に本願発明に係る第１乃至第４の実施形態に係る発光棚装置１乃至発光棚装置４の構成と主な作用効果について請求項毎に説明する。
【００１２】
［第１の実施形態］
以下、本発明の第１の実施形態に係る発光棚装置１について、図１乃至図１９を参照しながら、具体的に説明する。
【００１３】
本発明の第１の実施形態に係る発光棚装置１は、図１乃至図３に示すように、棚板１０、棚板受け部材２０、及び支持部材３０を有している。なお、第１の実施形態に係る発光棚装置１の説明においては、先ず図４乃至図６を参照しながら発光棚装置１を構成する各構成部材の組立について説明し、次に図７乃至図１９を参照しながら発光棚装置１を構成する各構成部材の仕様について説明する。
【００１４】
発光棚装置１を構成する各構成部材の組立に関し、図４（ａ）乃至図４（ｃ）に示すように、支持部材３０の孔３０ａに対して送電保持部３１が取り付けられる。具体的には、先ず、図４（ａ）に示すように、送電保持部３１の配線３１ｂが、支持部材３０の孔３０ａに対して挿入される。次に、図４（ｂ）に示すように、送電保持部３１が、支持部材３０の孔３０ａに対して挿入される。さらに、図４（ｃ）に示すように、送電保持部３１が、支持部材３０の孔３０ａに対して完全に挿入され、支持部材３０に取り付けられる。なお、例えば、送電保持部３１の一端に突出して円柱形状から形成された持手３１ｃを指先で掴んで持ち、送電保持部３１を支持部材３０の孔３０ａに対して挿入する。
【００１５】
また、発光棚装置１を構成する各構成部材の組立に関し、図５（ａ）乃至図５（ｃ）に断面図で示すように、支持部材３０の孔３０ｂに棚板受け部材２０の一端が取り付けられる。具体的には、図５（ａ）は、支持部材３０の孔３０ｂに棚板受け部材２０の一端が未だ挿入されていない状態である。次に、図５（ｂ）に示すように、棚板受け部材２０を傾けて、支持部材３０の孔３０ｂに挿入する。さらに、図５（ｃ）に示すように、棚板受け部材２０の一端が、支持部材３０の孔３０ｂに対して完全に挿入され、送電保持部３１に付勢した状態で、支持部材３０に取り付けられる。
【００１６】
同様に、発光棚装置１を構成する各構成部材の組立に関し、図６（ａ）及び図６（ｂ）に示すように、棚板受け部材２０に対して棚板１０が載置される。具体的には、図６（ａ）は、棚板受け部材２０に対して棚板１０が未だ載置されていない状態である。次に、図６（ａ）に示す状態から、図６（ｂ）に示すように、棚板受け部材２０の後述する送電接続部２０ｂが棚板１０の後述する受電保持部材１３に対して挿入されることにより、棚板受け部材２０に対して棚板１０が載置される。
【００１７】
発光棚装置１を構成する棚板１０の仕様に関し、図７に示すように、棚板１０は、物品を載置する導光板１２、光源１１、及び受電部１３ａを設けた受電保持部材１３を備えている。ここで、光源１１は、導光板１２の内部に光を入射する。この様な光源１１には、例えば、表面実装型の発光ダイオード（ＬＥＤ：Ｌｉｇｈｔ  Ｅｍｉｔｔｉｎｇ  Ｄｉｏｄｅ）を用いる。また、光源１１は、例えばＬＥＤから成る発光素子１１ａ、該発光素子１１ａが実装される例えばガラスエポキシ基板から成る基板１１ｂ、及び該基板１１ｂを収納する例えばアルミニウムから成る保持部材１１ｃから構成される。ここで、発光素子１１ａは、例えば白色、赤色、橙色、黄色、緑色、青色、藍色、又は紫色のいずれかの色若しくはそれらの色の組み合わせの発光色のＬＥＤで構成する。この様な発光素子１１ａは、例えば、所定の間隔で複数個配列されている。また、発光素子１１ａは、紫外域又は赤外域の光を発するＬＥＤで構成しても良い。同様に、発光素子１１ａは、ＬＥＤに限定されることはなく、例えば、有機発光ダイオード、蛍光管、冷陰極管、又はネオン管で構成しても良い。
【００１８】
また、発光棚装置１を構成する棚板１０の仕様に関し、導光板１２は、光源１１に隣接し、側面から入射された光源１１の光を一主面１２ａ及び該一主面１２ａに対向した他主面１２ｃから出射する。ここで、導光板１２は、例えば、透明なアクリル樹脂板から成る。なお、導光板１２は、透明な樹脂板に限定されることは無く、着色された樹脂板を用いても良い。また、導光板１２には、例えば可視域の光を照射されることにより拡散光を発する微粒子状の拡散部材を添加した樹脂板を用いても良い。同様に、導光板１２には、例えば紫外域や可視域の光を照射されることにより蛍光を発する蛍光剤を塗布又は添加した樹脂板を用いても良い。また、導光板１２の一主面１２ａ及び該一主面１２ａに対向した他主面１２ｃに、防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００１９】
同様に、発光棚装置１を構成する棚板１０の仕様に関し、図７乃至図９に示すように、受電保持部材１３は、後述する棚板受け部材２０の送電接続部２０ｂから送電された駆動電力を光源１１に供給する。この様な受電保持部材１３は、凹部を有した長方体形状から形成され、光源１１に隣接して設けられている。また、受電保持部材１３の凹部には、受電部１３ａが設けられ、棚板受け部材２０の送電接続部２０ｂに当接する。具体的には、受電部１３ａは、通電性を有した金属で、屈折又は湾曲した板バネ状に形成されている。ここで、受電部１３ａは、棚板受け部材２０に設けられ台形台形状の突起の上面に形成された板状の電極である送電接続部２０ｂから付勢されると、所定の量だけ湾曲した状態で静止する。ここで、受電保持部材１３は、棚板１０に２つ以上配設されている。具体的には、例えば、図８に示す受電保持部材１３は、アノード用又はカソード用の受電部１３ａを備え、棚板１０に２つ以上配設されている。同様に、例えば、図９に示す受電保持部材１４は、受電保持部材１３の変形例であり、アノード及びカソード用の受電部１４ａをそれぞれ備え、棚板１０に１つ以上配設されている。
【００２０】
ここで、発光棚装置１を構成する棚板１０の仕様の応用例に関し、図１０及び図１１に示す棚板４０は、該棚板４０に備えられた導光板４２の一面以上から拡散光を出射させる。具体的には、例えば図１１に示すように、導光板４２の一主面４２ａ及び他主面４２ｃに、光源から照射された拡散光として出射させる凹状のパターン４２ｂ及びパターン４２ｄが、形成されている。この様なパターン４２ｂ及びパターン４２ｄは、例えば、１ｍｍから６ｍｍの間隔でマトリクス状に形成されている。なお、図１０及び図１１に示す導光板４２に形成された凹状のパターン４２ｂ及びパターン４２ｄの大きさは、発明の理解を容易にするために、誇張して図示している。ここで、導光板４２の一主面４２ａに形成された複数のパターン４２ｂで発生した拡散光の大部分は、略均一な面発光の光として導光板４２の他主面４２ｃから出射される。同様に、導光板４２の他主面４２ｃに形成された複数のパターン４２ｄで発生した拡散光の大部分は、略均一な面発光の光として導光板４２の一主面４２ａから出射される。なお、導光板４２は上記の構成に限定されることはなく、例えば、該導光板４２の他主面４２ｃのみに、凹状のパターン４２ｄを形成しても良い。また、図示していないが、該導光板４２の一主面４２ａのみに、凸状のパターンを形成しても良い。
【００２１】
ここで、発光棚装置１を構成する棚板１０及び棚板４０の仕様の応用例に関し、図１２に示す棚板５０は、該棚板５０に備えられた導光板４２に、乳半板５４と透明板５５が積層されている。具体的には、乳半板５４は、例えばポリカーボネイトに拡散材フィーラーを添加したものから成り、導光板４２の一主面４２ａ及び他主面４２ｃに形成された凹状のパターン４２ｂ及びパターン４２ｄから出射された拡散光を、さらに拡散させる。また、透明板５５は、例えばアクリル板から成り、乳半板５４を保護するものである。なお、例えば、導光板４２の一主面４２ａのみに、乳半板５４と透明板５５を積層する構成としても良い。同様に、例えば、導光板４２の一主面４２ａ及び他主面４２ｃに、透明板５５のみを積層して導光板４２を保護する構成としても良い。
【００２２】
発光棚装置１を構成する棚板受け部材２０の仕様に関し、例えば図１３に示すように、棚板受け部材２０は、棚板１０を支持し、駆動電力が入力される受電接続部２０ａ及び入力された駆動電力を棚板１０に出力する送電接続部２０ｂを備えている。この様な該棚板受け部材２０は、例えば、スチールの様な鉄の合金から成り、側面がＬ字状を組み合わせた板状から形成されている。また、図１５（ａ）に示すように、棚板受け部材２０は、受電接続部２０ａ及び送電接続部２０ｂを除き、プラスチックスから成る絶縁部材２０ｃを用いて絶縁する構成とする。また、図１５（ａ）に示すように、棚板受け部材２０を、強化プラスチックスで形成し、埋設した配線２０ｄを用いて受電接続部２０ａ及び送電接続部２０ｂを導通する構成としても良い。ここで、棚板受け部材２０の受電接続部２０ａは、台形台形状の突起の上面に形成された板状の電極から成り、後述する支持部材３０の送電保持部３１の送電部３１ａに付勢する。同様に、棚板受け部材２０の送電接続部２０ｂは、受電接続部２０ａと同様に、台形台形状の突起の上面に形成された板状の電極から成り、前述した棚板１０の例えば受電保持部材１３の受電部１３ａに付勢する。また、図１３に示す棚板受け部材２０は、アノード用又はカソード用の受電接続部２０ａ又は送電接続部２０ｂを備え、支持部材３０に２つ以上配設されている。同様に、図１４に示す棚板受け部材２１は、アノード用及びカソード用の受電接続部２１ａ及び送電接続部２１ｂを備え、支持部材３０に１つ以上配設されている。
【００２３】
発光棚装置１を構成する支持部材３０の仕様に関し、図１６乃至図１８に示すように、該支持部材３０は、棚板受け部材２０を支持し、棚板受け部材２０の受電接続部２０ａに当接される送電部３１ａ及び該送電部３１ａに接続され駆動電力を供給し内部に埋設される配線３１ｂを設けた送電保持部３１を備えている。ここで、支持部材３０は、例えば図１７に示すように、棚板受け部材２０が取り付けられる孔３０ｂを設けている。この様な支持部材３０は、例えば、アルミニウムから成り、Ｌ字状から形成され、内部に送電保持部３１の配線３１ｂを通す空間を有している。また、支持部材３０は、送電保持部３１が取り付けられる孔３０ａが形成されている。なお、送電保持部３１の先端が、孔３０ａの他方に形成された留め穴３０ｃに係留される。
【００２４】
また、発光棚装置１を構成する支持部材３０の仕様に関し、図１８に示すように、支持部材３０の送電保持部３１は、例えば、プラスチックスから成り、板状に形成されている。また、送電保持部３１は、棚板受け部材２０の受電接続部２０ａに当接される送電部３１ａを設けている。ここで、送電保持部３１の送電部３１ａは、例えば端子から成り、例えば通電性を有した金属で、屈折又は湾曲した板バネ状に形成されている。ここで、送電保持部３１の送電部３１ａは、棚板受け部材２０の受電接続部２０ａから付勢されると、所定の量だけ湾曲した状態で静止する。なお、送電保持部３１の送電部３１ａは、配線３１ｂと電気的に接続されており、該配線３１ｂは外部の電力源と接続される。ここで、図１８に示す支持部材３０の送電保持部３１は、図８に示す受電保持部材１３に対応した、アノード用又はカソード用の送電部３１ａを備えている。なお、送電保持部３１の一端に突出して円柱形状から形成された持手３１ｃは、送電保持部３１を指先で掴んで持つ場合に用いる。同様に、図１９に示す支持部材３０の送電保持部３２は、図９に示す受電保持部材１４に対応した、アノード及びカソード用の送電部３２ａを備えている。なお、送電保持部３２のアノード及びカソード用の一対の送電部３２ａは、アノード及びカソード用の一対の配線３２ｂと電気的に接続されており、該配線３２ｂは外部の電力源と接続される。また、上板３３は、図１に示すように、例えば、アルミニウムから成り、板状に形成され、４つの支持部材３０の上部に設けられている。また、図示していないが、例えば、ガラス扉等を設けても良い。
【００２５】
ここで、発光棚装置１における駆動電力の配電に関し、棚板１０、棚板受け部材２０、及び支持部材３０での通電経路について、説明する。まず、外部から供給された駆動電力は、支持部材３０に備えられた送電保持部３１の配線３１ｂを介して、送電部３１ａに中継される。次に、送電保持部３１の送電部３１ａに中継された駆動電力は、該送電部３１ａに当接した棚板受け部材２０の受電接続部２０ａを中継して、送電接続部２０ｂに送電される。さらに、棚板受け部材２０の送電接続部２０ｂに送電された駆動電力は、該送電接続部２０ｂに当接した棚板１０の受電保持部材１３の受電部１３ａを介して、棚板１０の光源１１に供給され、該光源１１が発光する。ここで、支持部材３０の送電部３１ａは、例えば板バネ状に形成され、台形台形状の突起の上面に形成された板状の電極から成る棚板受け部材２０の受電接続部２０ａに当接する。同様に、棚板受け部材２０の送電接続部２０ｂは、台形台形状の突起の上面に形成された板状の電極から成り、板バネ状に形成され棚板１０の受電保持部材１３の受電部１３ａに当接する。
【００２６】
また、発光棚装置１における駆動電力の配電に関し、上述した構成に限定されることはなく、例えば、板状の電極から成る支持部材３０の送電部３１ａに、板バネ状に形成された棚板受け部材２０の受電接続部２０ａを、当接させる構成としても良い。同様に、例えば、板バネ状に形成された棚板受け部材２０の送電接続部２０ｂに、板状の電極から成る棚板１０の受電保持部材１３の受電部１３ａを、当接させる構成としても良い。また、電極は、屈折又は湾曲した板バネに限定されることはなく、例えば、所定のピッチでらせん状に巻かれたスプリング状のバネとしても良い。さらに、電極は、板状の電極パターンを台形台形状の上面に形成する構成に限定されることはなく、例えば、電極パターンを円錐台形状の表面に形成しても良い。また、電極は、端子で構成しても良い。また、各構成部材に送電用のコネクタを設け、該コネクタを接続して駆動電力を送電する構成としても良い。
【００２７】
以上、第１の実施形態に係る発光棚装置１によれば、棚板１０を発光させる電気部品である配線等が外部から視認されることを防止することができる。
【００２８】
また、第１の実施形態に係る発光棚装置１によれば、棚板１０は、棚板受け部材２０に着脱可能に支持される簡便な構造により、棚板受け部材２０に対して繰り返し着脱して用いることができる。
【００２９】
さらに、第１の実施形態に係る発光棚装置１によれば、棚板受け部材２０は、支持部材３０の孔に着脱可能に取り付けられる簡便な構造により、支持部材３０に対して繰り返し着脱して用いることができる。
【００３０】
また、第１の実施形態に係る発光棚装置１によれば、棚板受け部材２０の受電接続部及び送電接続部について、アノード用又はカソード用の例えば電極を独立して備える構成とすることができ、且つアノード用及びカソード用の電極を並列して備える構成とすることもできることから、拡張性に優れている。
【００３１】
さらに、第１の実施形態に係る発光棚装置１によれば、図１０及び図１１に示す棚板４０の導光板４２の一主面４２ａに形成された複数のパターン４２ｂで発生した拡散光の大部分は、略均一な面発光の光として導光板４２の他主面４２ｃから出射される。同様に、棚板４０の導光板４２の他主面４２ｃに形成された複数のパターン４２ｄで発生した拡散光の大部分は、略均一な面発光の光として導光板４２の一主面４２ａから出射される。したがって、例えば、棚板４０の導光板４２に載置した物品を、拡散光から成る略均一な面発光の光で、下方又は上方から照明することができる。
【００３２】
さらに、第１の実施形態に係る発光棚装置１によれば、図１２に示す棚板５０は、該棚板５０に備えられた導光板４２に、乳半板５４と透明板５５が積層されている。したがって、導光板４２の一主面４２ａ及び他主面４２ｃに形成された凹状のパターン４２ｂ及びパターン４２ｄから出射された拡散光を、さらに拡散させることができる。また、透明板５５により、乳半板５４を保護することができる。なお、例えば、導光板４２の一主面４２ａのみに、乳半板５４と透明板５５を積層する構成としても良い。同様に、例えば、導光板４２の一主面４２ａ及び他主面４２ｃに、透明板５５のみを積層して導光板４２を保護する構成としても良い。
【００３３】
［第２の実施形態］
以下、本発明の第２の実施形態に係る発光棚装置２について、図２０を参照しながら、具体的に説明する。
【００３４】
なお、本発明の第２の実施形態に係る発光棚装置２は、図２０に示すように、支持部材３０の送電保持部３１の配線３１ｂに接続され、外部から供給された電力を光源１１に対応した駆動電力に変換する電力変換部６０を有していることに特徴を有している。また、それ以外の第２の実施形態に係る構成は、第１の実施形態で述べた構成と同様である。そこで、第２の実施形態においては第１の実施形態と異なる構成について中心に説明する。
【００３５】
本発明の第２の実施形態に係る発光棚装置２は、図２０に示すように、前述した図１等に示す第１の実施形態に係る発光棚装置１の応用例に相当し、外部から供給された電力を光源１１に対応した駆動電力に変換する電力変換部６０を有している。具体的には、図２０に示すように、電力変換部６０は、例えば、支持部材３０の下部に配設されている。この様な電力変換部６０は、例えば、施設等のコンセント電源から供給された交流１００Ｖの電力を、棚板４０に備えられた光源４１の仕様に合わせて、所定の電圧値及び電流値から成る駆動電力を生成する。また、電力変換部６０に設けられた調光制御手段６０ａにより、棚板４０に備えられた光源４１に印加する電流の電流値やパルス幅を調整し、棚板４０から出射される光量を可変させる。同様に、電力変換部６０に設けられた発光色切替手段６０ｂにより、棚板４０に備えられた発光波長が異なる複数の光源４１に対して選択的に駆動電力を供給し、棚板４０から出射される光の波長を例えば白色から赤色に可変させる。
【００３６】
以上、第２の実施形態に係る発光棚装置２によれば、例えば第１の実施形態に係る発光棚装置１と同様に、棚板４０を発光させる電気部品である配線等が外部から視認されることを防止することができる。
【００３７】
さらに、第２の実施形態に係る発光棚装置２によれば、電力変換部６０により、例えば、施設等のコンセント電源から供給された交流１００Ｖの電力から、棚板４０に備えられた光源４１の仕様に合わせて、所定の電圧値及び電流値から成る駆動電力を生成することができる。また、発光棚装置２の電力変換部６０に設けられた調光制御手段６０ａにより、棚板４０に備えられた光源４１に印加する電流の電流値やパルス幅を調整し、棚板４０から出射される光量を可変させることができる。同様に、例えば、発光棚装置２の電力変換部６０に設けられた発光色切替手段６０ｂにより、棚板４０に備えられた発光波長が異なる複数の光源４１に対して選択的に駆動電力を供給し、棚板４０から出射される光の波長を例えば白色から赤色に可変させることができる。
【００３８】
［第３の実施形態］
以下、本発明の第３の実施形態に係る発光棚装置３について、図２１乃至図２４を参照しながら、具体的に説明する。
【００３９】
なお、本発明の第３の実施形態に係る発光棚装置３は、図２１に示すように、一対の支持部材９０が設けられていることに特徴を有している。また、それ以外の第３の実施形態に係る構成は、第１の実施形態で述べた構成と同様である。そこで、第３の実施形態においては第１の実施形態と異なる構成について中心に説明する。
【００４０】
本発明の第３の実施形態に係る発光棚装置３は、図２１乃至図２２に示すように、棚板７０、棚板受け部材８０、及び支持部材９０とを有する。ここで、棚板７０、棚板受け部材８０、及び支持部材９０は、第１の実施形態に係る発光棚装置１の棚板１０、棚板受け部材２０、及び支持部材３０に相当する構成部材であるが、その形状が異なる。具体的には、棚板７０は、導光板７２と光源７１を備えているが、光源７１の側のみに受電保持部材７３が設けられている。また、棚板受け部材８０は、導光板７２と光源７１とを一体に保持するために、棚板受け部材２０と比較して、長方形状から形成されている。また、支持部材９０は、一対から成り、該一対の支持部材９０の下部に、自立するための一対の脚部材９３が設けられている。さらに、該一対の支持部材９０の上部と下部とを連結するための連結部材９４が複数設けられている。
【００４１】
ここで、発光棚装置３を構成する棚板７０の仕様の応用例に関し、図２４に示す棚板１００は、該棚板１００に備えられた導光板１０２の一面以上から拡散光を出射させる。具体的には、図２４に示すように導光板１０２の一主面１０２ａ又は他主面１０２ｃに、光源から照射された拡散光として出射させる凹状のパターン１０２ｂ又は図示せぬパターン１０２ｄが、形成されている。この様なパターン１０２ｂ及び図示せぬパターン１０２ｄは、例えば、１ｍｍから６ｍｍの間隔でマトリクス状に形成されている。ここで、導光板１０２の一主面１０２ａに形成された複数のパターン１０２ｂで発生した拡散光の大部分は、略均一な面発光の光として導光板１０２の他主面１０２ｃから出射される。同様に、導光板１０２の他主面１０２ｃに形成された複数の図示せぬパターン１０２ｄで発生した拡散光の大部分は、略均一な面発光の光として導光板１０２の一主面１０２ａから出射される。なお、導光板１０２は上記の構成に限定されることはなく、例えば、該導光板１０２の他主面１０２ｃのみに、凹状のパターン１０２ｄを形成しても良い。また、図示していないが、該導光板１０２の一主面１０２ａのみに、凸状のパターンを形成しても良い。
【００４２】
以上、第３の実施形態に係る発光棚装置３によれば、第１の実施形態に係る発光棚装置１と同様に、棚板７０を発光させる電気部品である配線等が外部から視認されることを防止することができる。
【００４３】
さらに、第３の実施形態に係る発光棚装置３によれば、例えば発光棚装置１の様に支持部材３０を４隅に設けた形態に限定されず、例えば一対の支持部材９０を設ける形態にすることにより、物品を載置又は取り出し易くすることができる。
【００４４】
さらに、第３の実施形態に係る発光棚装置３によれば、棚板１００の導光板１０２の一主面１０２ａに形成された複数のパターン１０２ｂで発生した拡散光の大部分は、略均一な面発光の光として導光板１０２の他主面１０２ｃから出射される。同様に、棚板１００の導光板１０２の他主面１０２ｃに形成された複数の図示せぬパターン１０２ｄで発生した拡散光の大部分は、略均一な面発光の光として導光板１０２の一主面１０２ａから出射される。したがって、例えば、棚板１００の導光板１０２に載置した物品を、拡散光から成る略均一な面発光の光で、下方又は上方から照明することができる。
【００４５】
［第４の実施形態］
以下、本発明の第４の実施形態に係る発光棚装置４について、図２５を参照しながら、具体的に説明する。
【００４６】
なお、本発明の第４の実施形態に係る発光棚装置４は、図２５に示すように、支持部材９０の配線に接続され、外部から供給された電力を光源７１に対応した駆動電力に変換する電力変換部１１０を有していることに特徴を有している。また、それ以外の第４の実施形態に係る構成は、第３の実施形態で述べた構成と同様である。そこで、第４の実施形態においては第３の実施形態と異なる構成について中心に説明する。
【００４７】
本発明の第４の実施形態に係る発光棚装置４は、図２５に示すように、前述した図２０に示す第２の実施形態に係る発光棚装置２の変形例に相当する。具体的には、例えば図２５に示すように、電力変換部１１０は、支持部材９０の下部に配設されている。この様な電力変換部１１０は、例えば、施設等のコンセント電源から供給された交流１００Ｖの電力から、棚板１００に備えられた光源１０１の仕様に合わせて、所定の電圧値及び電流値から成る駆動電力を生成する。また、電力変換部１１０に設けられた調光制御手段１１０ａにより、棚板１００に備えられた光源１０１に印加する電流の電流値やパルス幅を調整し、棚板１００から出射される光量を可変させる。同様に、電力変換部１１０に設けられた発光色切替手段１１０ｂにより、棚板１００に備えられた発光波長が異なる複数の光源１０１に対して、選択的に駆動電力を供給し、棚板１００から出射される光の波長を例えば白色から赤色に可変させる。
【００４８】
以上、第４の実施形態に係る発光棚装置４によれば、第３の実施形態に係る発光棚装置３と同様に、棚板１００を発光させる電気部品である配線等が外部から視認されることを防止することができる。
【００４９】
さらに、第４の実施形態に係る発光棚装置４によれば、電力変換部１１０により、例えば、施設等のコンセント電源から供給された交流１００Ｖの電力から、棚板１００に備えられた光源１０１の仕様に合わせて、所定の電圧値及び電流値から成る駆動電力を生成することができる。また、発光棚装置４の電力変換部１１０に設けられた調光制御手段１１０ａにより、棚板１００に備えられた光源１０１に印加する電流の電流値やパルス幅を調整し、棚板１００から出射される光量を可変させることができる。同様に、例えば、発光棚装置４の電力変換部１１０に設けられた発光色切替手段１１０ｂにより、棚板１００に備えられた発光波長が異なる複数の光源１０１に対して選択的に駆動電力を供給し、棚板１００から出射される光の波長を例えば白色から赤色に可変させることができる。
【００５０】
また、本願発明の第１乃至第４の実施形態に係る発光棚装置１乃至発光棚装置４を構成する棚板４０及び棚板１００に備えられた導光板４２及び導光板１０２の製造方法について、具体的に説明する。
【００５１】
棚板４０及び棚板１００に備えられた導光板４２及び導光板１０２の製造方法には、例えば超音波加工、加熱加工、切削加工、レーザ加工、成型加工、及びシルク印刷加工を用いることができる。以下、各製造方法について説明する。超音波加工では、導光板の主面に当接させた超音波加工用ホーンの超音波の振動を用いて、導光板の主面を部分的に溶融させることにより、該主面に凹状のパターンを形成する。また、加熱加工では、導光板の主面に当接させた加工具の熱を用いて、導光板の主面を部分的に溶融させることにより、該主面に凹状のパターンを形成する。同様に、切削加工では、導光板の主面に当接しながら回転又は付勢させた切削工具を用いて、導光板の主面を部分的に削り取ることにより、該主面に凹状のパターンを形成する。同様に、レーザ加工では、導光板の主面に集光させたレーザ光の熱を用いて、導光板の主面を部分的に溶融させることにより、該主面に凹状のパターンを形成する。同様に、成型加工では、成型する導光板の外形形状を反映させた形状を金型の内部に形成し、例えば射出成型機に装着した金型に対して加熱して軟化させた樹脂を注入してから、該樹脂を冷却させることにより、導光板の主面に凹状のパターン、凸状のパターン、又は凹状及び凸状のパターンを形成する。
【００５２】
また、棚板４０及び棚板１００に備えられた導光板４２及び導光板１０２の製造方法に関し、シルク印刷加工では、導光板の主面に対して所定の孔が開口した版を当接させ、孔を介して硬化性の樹脂を主面に付着させて、該主面を部分的に樹脂で被覆させることにより、該主面に凸状のパターンを形成する。
また、成型加工又はシルク印刷加工に用いる導光板の基材である樹脂に、例えば拡散光を発する微粒子状の拡散部材を添加しても良い。同様に、上述した超音波加工、加熱加工、切削加工、又はレーザ加工を行う導光板の基材である樹脂に、例えば拡散光を発する微粒子状の拡散部材を添加したものを用いても良い。なお、上述した超音波加工、加熱加工、切削加工、レーザ加工、成型加工、及びシルク印刷加工を組み合わせて導光板を形成しても良い。具体的には、例えば成型加工により導光板の外形形状のみを形成した上で、例えば超音波加工により導光板の主面に凹状のパターンを形成しても良い。同様に、例えば成型加工により導光板の外形形状のみを形成した上で、例えばシルク印刷加工により導光板の主面に凸状のパターンを形成しても良い。
【００５３】
最後に、本願発明に係る第１乃至第４の実施形態に係る発光棚装置１乃至発光棚装置４の構成と主な作用効果について、請求項毎に、具体的に説明する。
【００５４】
請求項１に記載の発光棚装置１乃至４は、物品を載置する導光板、光源、及び受電部を設けた受電保持部材を備えた棚板１０、４０、７０、又は１００と、棚板１０、４０、７０、又は１００を支持し、駆動電力が入力される受電接続部及び入力された駆動電力を棚板１０、４０、７０、又は１００に出力する送電接続部を備えた棚板受け部材２０又は８０と、棚板受け部材２０又は８０を支持し、棚板受け部材２０又は８０の受電接続部に当接される送電部及び該送電部に接続され駆動電力を供給し内部に埋設される配線を設けた送電保持部を備えた支持部材３０又は９０とを有することを特徴としている。
【００５５】
この様な請求項１に記載の発光棚装置１乃至４によれば、棚板１０、４０、７０、又は１００を発光させる電気部品である配線等が外部から視認されることを防止することができる。
【００５６】
請求項２に記載の発光棚装置１乃至４は、請求項１に従属し、棚板１０、４０、７０、又は１００は、棚板受け部材２０又は８０に着脱可能に支持されていることを特徴としている。
【００５７】
この様な請求項２に記載の発光棚装置１乃至４によれば、棚板１０、４０、７０、又は１００を、簡便な構造により、棚板受け部材２０又は８０に対して繰り返し着脱して用いることができる。
【００５８】
請求項３に記載の発光棚装置１乃至４は、請求項１に従属し、棚板受け部材２０又は８０は、支持部材３０又は９０に着脱可能に取り付けられていることを特徴としている。
【００５９】
この様な請求項３に記載の発光棚装置１乃至４によれば、棚板受け部材２０又は８０を、支持部材３０又は９０に対して繰り返し着脱して用いることができる。
【００６０】
請求項４に記載の発光棚装置１乃至４は、請求項１に従属し、棚板受け部材２０又は８０は、該棚板受け部材の一端が支持部材３０又は９０に形成された孔に挿入されて取り付けられていることを特徴としている。
【００６１】
この様な請求項４に記載の発光棚装置１乃至４によれば、棚板受け部材２０又は８０を、簡便な構造により、支持部材３０又は９０に対して繰り返し挿入して用いることができる。
【００６２】
請求項５に記載の発光棚装置１乃至４は、請求項１に従属し、棚板４０又は１００の導光板４２又は１０２の一面以上に、光源１１又は７１から照射された光を拡散光として出射させる凹状又は凸状のパターンが形成されていることを特徴としている。
【００６３】
この様な請求項５に記載の発光棚装置１乃至４によれば、例えば、棚板４０の導光板４２の一主面４２ａに形成された複数のパターン４２ｂで発生した拡散光の大部分は、略均一な面発光の光として導光板４２の他主面４２ｃから出射される。同様に、棚板４０の導光板４２の他主面４２ｃに形成された複数のパターン４２ｄで発生した拡散光の大部分は、略均一な面発光の光として導光板４２の一主面４２ａから出射される。したがって、例えば、棚板４０の導光板４２に載置した物品を下方又は上方から照明することができる。
【００６４】
請求項６に記載の発光棚装置１乃至４は、請求項５に従属し、凹状又は凸状のパターンは、点状、線状、又はそれらの組み合わせから成ることを特徴としている。
【００６５】
この様な請求項６に記載の発光棚装置１乃至４によれば、棚板４０又は１００の導光板４２又は１０２に載置した物品を、所定の光強度分布で、下方又は上方から照明することができる。
【００６６】
請求項７に記載の発光棚装置１乃至４は、請求項１に従属し、棚板受け部材２０又は８０は、受電接続部及び送電接続部をそれぞれ１つ以上備えていることを特徴としている。
【００６７】
この様な請求項７に記載の発光棚装置１乃至４によれば、棚板受け部材２０又は８０の受電接続部及び送電接続部について、アノード用又はカソード用の例えば電極を独立して備える構成とすることができ、且つアノード用及びカソード用の電極を並列して備える構成とすることもできることから、拡張性に優れている。
【００６８】
請求項８に記載の発光棚装置２又は４は、請求項１に従属し、支持部材３０又は９０の送電保持部の配線に接続され、外部から供給された電力を光源に対応した駆動電力に変換する電力変換部６０又は１１０を更に有することを特徴としている。
【００６９】
この様な請求項８に記載の発光棚装置２又は４によれば、電力変換部６０又は１１０により、例えば、
施設等のコンセント電源から供給された交流１００Ｖの電力から、棚板４０に備えられた光源４１の仕様又は棚板７０に備えられた光源７１の仕様に合わせて、所定の電圧値及び電流値から成る駆動電力を生成することができる。
【００７０】
請求項９に記載の発光棚装置２又は４は、請求項８に従属し、電力変換部６０又は１１０は、棚板１０、４０、７０、又は１００に備えられた光源１１、４１、７１、又は１０１の光量を調整する調光制御手段６０ａ又は１１０ａ棚板１０、４０、７０、又は１００に備えられた光源１１、４１、７１、又は１０１の発光色を切り換える発光色切替手段６０ｂ又は１１０ｂ、又は調光制御手段６０ａ又は１１０ａ及び発光色切替手段６０ｂ又は１１０ｂを備えていることを特徴としている。
【００７１】
この様な請求項９に記載の発光棚装置２又は４によれば、例えば、発光棚装置２の電力変換部６０に設けられた調光制御手段６０ａにより、棚板４０に備えられた光源４１に印加する電流の電流値やパルス幅を調整し、棚板４０から出射される光量を可変させることができる。同様に、例えば、発光棚装置２の電力変換部６０に設けられた発光色切替手段６０ｂにより、棚板４０に備えられた発光波長が異なる複数の光源４１に対して選択的に駆動電力を供給し、棚板４０から出射される光の波長を例えば白色から赤色に可変させることができる。
【符号の説明】
【００７２】
１，２，３，４  発光棚装置
１０，４０，５０，７０，１００  棚板
１１，４１，７１，１０１  光源
１１ａ，４１ａ，７１ａ，１０１ａ  発光素子
１１ｂ，４１ｂ，７１ｂ，１０１ｂ  基板
１１ｃ，４１ｃ，７１ｃ，１０１ｃ  保持部材
１２，４２，７２，１０２  導光板
１２ａ，４２ａ，１０２ａ  一主面
１２ｃ，４２ｃ  １０２ｃ  他主面
４２ｂ，４２ｄ，１０２ｂ，１０２ｄ  パターン
１３，１４，４３，７３  受電保持部材
１３ａ，１４ａ，４３ａ，７３ａ  受電部
５４  乳半板
５５  透明板
２０，２１，８０  棚板受け部材
２０ａ，２１ａ，８０ａ  受電接続部
２０ｂ，２１ｂ，８０ｂ  送電接続部
２０ｃ  絶縁部材
２０ｄ  配線
３０，９０  支持部材
３０ａ，３０ｂ，９０ａ，９０ｂ  孔
３０ｃ，９０ｃ  留め穴
３１，３２，９１  送電保持部
３１ａ，３２ａ，９１ａ  送電部
３１ｂ，３２ｂ，９１ｂ  配線
３１ｃ，３２ｃ，９１ｃ  持手
３３  上板
９３  脚部材
９４  連結部材
６０，１１０  電力変換部
６０ａ，１１０ａ  調光制御手段
６０ｂ，１１０ｂ  発光色切替手段
【図１９】
2012187188.tif 000003
【図１】
2012187188.tif 000004
【図２】
2012187188.tif 000005
【図３】
2012187188.tif 000006
【図４】
2012187188.tif 000007
【図５】
2012187188.tif 000008
【図６】
2012187188.tif 000009
【図７】
2012187188.tif 000010
【図８】
2012187188.tif 000011
【図９】
2012187188.tif 000012
【図１０】
2012187188.tif 000013
【図１１】
2012187188.tif 000014
【図１２】
2012187188.tif 000015
【図１３】
2012187188.tif 000016
【図１４】
2012187188.tif 000017
【図１５】
2012187188.tif 000018
【図１６】
2012187188.tif 000019
【図１７】
2012187188.tif 000020
【図１８】
2012187188.tif 000021
【図２０】
2012187188.tif 000022
【図２１】
2012187188.tif 000023
【図２２】
2012187188.tif 000024
【図２３】
2012187188.tif 000025
【図２４】
2012187188.tif 000026
【図２５】
2012187188.tif 000027